(57)【要約】【課題】複数枚の反射ミラー部材を用いても、視認性を良好なものとすることができる車両用情報表示装置を提供する。【解決手段】表示面部１６ａを上方向に向けて車室１２前方に設けられたパネルディスプレイ装置１６を有すると共に、表示面部１６ａ側に設けられ、表示される車両情報を反射させて、車室１２内方向から、視認可能とする略同一外形を呈する複数のハーフミラー部材１７，１８及びミラー部材１９を、表示面部１６ａに沿わせて平行となるように斜めに立設させた情報表示装置１５である。表示面部１６ａでは、車室１２内から見て奥側に設けられるハーフミラー部材１８の略中央部に、スピードメータ表示２０及びタコメータ表示２１が、反射表示されると共に、手前側の反射ミラー部材１７の左，右側縁周縁部近傍で、スピードメータ表示２０等と重複しない位置に、燃料計表示２２等が反射表示される。【選択図】  図１
2004291731.tif 000002
【特許請求の範囲】
【請求項１】
表示面部を上，下方向の何れか一方に向けて車室前方に設けられたディスプレイ装置を有すると共に、該ディスプレイ装置の表示面部側に設けられ、該表示面部に表示される車両情報を反射させて、車室内方向から、視認可能とする略同一外形を呈する複数の反射ミラー部材を、該表示面部に沿わせて平行となるように斜めに立設させた車両用情報表示装置において、
前記表示面部では、車室内から見て奥側に設けられる反射ミラー部材の略中央部に車両情報表示を反射表示させると共に、車室内から見て前記奥側に設けた反射ミラー部材より手前側の反射ミラー部材の周縁部近傍で、前記車両情報表示と重複しない位置に、他の車両情報表示を反射表示させるように表示制御が行われることを特徴とする車両用情報表示装置。
【請求項２】
前記他の車両情報表示は、警告表示であることを特徴とする請求項１記載の車両用情報表示装置。
【請求項３】
前記他の車両情報表示は、方向指示表示であることを特徴とする請求項１記載の車両用情報表示装置。
【請求項４】
前記他の車両情報表示は、ＥＴＣゲートに車両が接近したことを知らせるＥＴＣ接近告知表示であると共に、該ＥＴＣ接近告知表示を、ＥＴＣゲートが遠方に有る場合には、前記奥側に設けられる反射ミラー部材に反射表示させると共に、ＥＴＣゲートが近接した場合には、前記手前側の反射ミラー部材に反射表示させることを特徴とする請求項１乃至３のうち何れか一項記載の車両用情報表示装置。
【請求項５】
前記他の車両情報表示は、ＥＴＣゲートに車両が接近したことを知らせるＥＴＣ接近告知表示であると共に、該ＥＴＣ接近告知表示を、ＥＴＣゲートが遠方に有る場合には、比較的小さく表示すると共に、ＥＴＣゲートが近接した場合には、遠方に有る場合の表示に比して大きく表示させることを特徴とする請求項１乃至４のうち何れか一項記載の車両用情報表示装置。
【請求項６】
乗員のアイポイントを検出するアイポイント検出手段を設け、アイポイントの移動に伴って、前記車両情報表示又は他の車両情報表示の表示位置を変更することを特徴とする請求項１乃至５のうち何れか一項記載の車両用情報表示装置。
【発明の詳細な説明】
【０００１】
【発明の属する技術分野】
この発明は、車両情報を表示するディスプレイ装置を複数枚の反射ミラー部材で反射させて乗員に視認させる車両用情報表示装置に関する。
【０００２】
【従来の技術】
従来、図１０に示すような自動車等の車両に搭載される車両用情報表示装置が知られている（例えば、特許文献１参照）。
【０００３】
まず、構成から説明すると、この従来の車両用情報表示装置では、車室１内の運転席前方に車幅方向に沿って延設されるインストルメントパネル２の運転席と助手席との間に位置する車幅方向中央部には、液晶ディスプレイ装置或いは、ＣＲＴ装置によって構成されるマルチディスプレイ装置３が設けられている。
【０００４】
このマルチディスプレイ装置３は、１つの画面内に、速度を表示する速度表示部４及び、ナビゲーション装置の地図情報等を表示すると共に、切り替えにより、オーディオ或いはエアコン機器等の車載機器情報や操作スイッチ群を表示するスイッチ画面表示部５が組み合わされて設けられている。
【０００５】
更に、このマルチディスプレイ装置３の下方に設けられたセンタクラスタ部６には、前記スイッチ画面表示部５に表示される操作スイッチ群を、適宜選択実行して、各車載機器の制御指示を行う操作部７が設けられている。
【０００６】
また、図１１に示すような車両用情報表示装置では、車体側のインストルメントパネル２に設けられた収納部としてのクラスタ８内に、パネルディスプレイ装置９が、表示面部９ａを上方向に向けて、収納されている。
【０００７】
このパネルディスプレイ装置９の表示面部９ａ側には、この表示面部９ａに表示される車両情報を反射させて、車室内方向から、視認可能とする反射ミラー部材１０ａ，１０ｂ，１０ｃが、複数枚、一定間隔を置いて設けられている。
【０００８】
次に、この従来の車両用情報表示装置の作用について説明する。
【０００９】
このように構成された図１０に示す従来の車両用情報表示装置では、前記マルチディスプレイ装置３と、前記操作部７とが分離されて設けられているので、車両走行中、マルチディスプレイ装置３の前記速度表示部４を視認する際の視線移動量が少なく、操作部７を運転席に着座した乗員から手が届く近い位置で、前記センタクラスタ部６に設けられた操作部７を操作できる。
【００１０】
また、図１１に示す車両用情報表示装置では、前記パネルディスプレイ装置９の表示面部９ａの各々の領域Ｌ１〜Ｌ３に車両情報が表示されると、前記反射ミラー部材１０ａ，１０ｂ，１０ｃによって、この表示面部９ａに表示される車両情報が、各々反射されて、車室の乗員には、奥行き感を有する表示として視認される。
【００１１】
【特許文献１】
特開２００１−１１３９８１号公報（
【００２４】段落、図１、図２）
【００１２】
【発明が解決しようとする課題】
しかしながら、前記図１１に示すような従来の車両用情報表示装置では、前記パネルディスプレイ装置９の表示面部９ａの各領域Ｌ１〜Ｌ３に表示された各車両情報が、各々一定の間隔を置いて配置された前記反射ミラー部材１０ａ，１０ｂ，１０ｃによって反射されるように構成されているので、これらの反射ミラー部材１０ａの枚数を複数枚用いると、車両情報が重なり合って視認しづらくなるといった問題があった。
【００１３】
特に、その枚数が増大すると、更に、車両情報が重なり合って視認しづらくなる。
【００１４】
また、図１０に示すように、インストルメントパネル２の運転席と助手席との間に位置する車幅方向中央部に、前記図９に示すパネルディスプレイ装置９を用いると、運転席側に、前記クラスタ８の開口部８ａを向けて、前，後の反射ミラー部材１０ａ，１０ｂ，１０ｃ間の表示の位置ズレを減少させなければならなかった。
【００１５】
そこで、本発明の目的は、複数枚の反射ミラー部材を用いても、視認性を良好なものとすることができる車両用情報表示装置を提供することにある。
【００１６】
【課題を解決するための手段】
本発明は、かかる問題点に着目してなされたもので、請求項１に係る発明では、表示面部を上，下方向の何れか一方に向けて車室前方に設けられたディスプレイ装置を有すると共に、該ディスプレイ装置の表示面部側に設けられ、該表示面部に表示される車両情報を反射させて、車室内方向から、視認可能とする略同一外形を呈する複数の反射ミラー部材を、該表示面部に沿わせて平行となるように斜めに立設させた車両用情報表示装置において、前記表示面部では、車室内から見て奥側に設けられる反射ミラー部材の略中央部に車両情報表示を反射表示させると共に、車室内から見て前記奥側に設けた反射ミラー部材より手前側の反射ミラー部材の周縁部近傍で、前記車両情報表示と重複しない位置に、他の車両情報表示を反射表示させるように表示制御が行われる車両用情報表示装置を特徴としている。
【００１７】
このように構成された請求項１記載のものでは、前記表示面部の表示制御によって、車室内から見て奥側に設けられる反射ミラー部材の略中央部に車両情報表示が反射表示される。
【００１８】
このため、乗員が、車両情報表示を見る際の視線移動量を少なく設定出来、視認性が良好である。
【００１９】
また、車室内から見て手前側の反射ミラー部材の周縁部近傍で、前記車両情報表示と重複しない位置に、他の車両情報表示が反射表示されるので、乗員に最も近い位置に、比較的大きく他の車両情報表示を表示させることができる。
【００２０】
この際、前記手前側に表示される他の車両情報表示が、奥側に設けられた反射ミラー部材の車両情報表示と重複することがないので、複数枚の反射ミラー部材を用いても、良好な視認性が保たれる。
【００２１】
そして、請求項２に記載されたものでは、前記他の車両情報表示は、警告表示である請求項１記載の車両用情報表示装置を特徴としている。
【００２２】
このように構成された請求項２記載のものでは、警告表示が、乗員に最も近い位置に、比較的大きく表示されるので、注意を促すことが出来る。
【００２３】
更に、請求項３に記載されたものでは、前記他の車両情報表示は、方向指示表示である請求項１記載の車両用情報表示装置を特徴としている。
【００２４】
このように構成された請求項３記載のものでは、方向指示表示が、例えば、車室内から見て手前側の反射ミラー部材の左，右側周縁部近傍に表示するように構成すれば、左，右の方向指示であることが、直感的に分かりやすい。
【００２５】
また、請求項４に記載されたものでは、前記他の車両情報表示は、ＥＴＣゲートに車両が接近したことを知らせるＥＴＣ接近告知表示であると共に、該ＥＴＣ接近告知表示を、ＥＴＣゲートが遠方に有る場合には、前記奥側に設けられる反射ミラー部材に反射表示させると共に、ＥＴＣゲートが近接した場合には、前記手前側の反射ミラー部材に反射表示させる請求項１乃至３のうち何れか一項記載の車両用情報表示装置を特徴としている。
【００２６】
ここで、ＥＴＣ接近告知表示とは、例えば、ＥＴＣゲートの形状を模式的に表示する絵図等である。
【００２７】
このように構成された請求項４記載のものでは、前記ＥＴＣゲートに、前記車両が、遠方から近接すると、まず、前記奥側に設けられる反射ミラー部材に、ＥＴＣ接近告知表示が反射表示されて、次に、前記手前側の反射ミラー部材に反射表示される。
【００２８】
このため、装置内でＥＴＣゲートを模式的に表示する絵図が、接近するかのように見えることにより、実際にＥＴＣゲートが接近していることが認識し易い。
【００２９】
更に、請求項５に記載されたものでは、前記他の車両情報表示は、ＥＴＣゲートに車両が接近したことを知らせるＥＴＣ接近告知表示であると共に、該ＥＴＣ接近告知表示を、ＥＴＣゲートが遠方に有る場合には、比較的小さく表示すると共に、ＥＴＣゲートが近接した場合には、遠方に有る場合の表示に比して大きく表示させる請求項１乃至４のうち何れか一項記載の車両用情報表示装置を特徴としている。
【００３０】
このように構成された請求項５記載のものでは、前記ＥＴＣゲートに、前記車両が、遠方から近接すると、まず、ＥＴＣゲートの絵図が、比較的小さく表示され、次に、該遠方に有る場合の表示に比して大きく表示される。
【００３１】
このため、装置内でＥＴＣゲートを模式的に表示する絵図が、接近するかのように見えることにより、実際にＥＴＣゲートが接近していることが認識し易い。
【００３２】
そして、請求項６に記載されたものでは、乗員のアイポイントを検出するアイポイント検出手段を設け、アイポイントの移動に伴って、前記車両情報表示又は他の車両情報表示の表示位置を変更する請求項１乃至５のうち何れか一項記載の車両用情報表示装置を特徴としている。
【００３３】
このように構成された請求項６記載のものでは、前記アイポイント検出手段が、乗員のアイポイントを検出すると、該アイポイントの移動に伴って、前記車両情報表示又は他の車両情報表示の表示位置が、視認し易い位置に変更される。
【００３４】
この際、車室内から見て手前側の前記反射ミラー部材の周縁部近傍で、前記車両情報表示と重複しない位置に、他の車両情報表示が反射表示されるので、前記反射ミラー部材の枚数が増大しても良好な視認性が保持される。
【００３５】
【発明の実施の形態１】
図１乃至図９は、この発明の実施の形態１の車両用情報表示装置を示すものである。
【００３６】
なお、前記従来例と同一乃至均等な部分については、同一符号を付して説明する。
【００３７】
まず、構成から説明すると、この実施の形態１の車両用情報表示装置では、車室１２内の運転席前方に車幅方向に沿って、車体側部材としてのインストルメントパネル２が延設されている。
【００３８】
このインストルメントパネル２のうち、運転席１３の前方の上面には、情報表示装置１５が、車体側と一体となるように形成された収納部としてのクラスタ１５ａを上方に突設して載置されている。
【００３９】
このクラスタ１５ａ内には、表示面部１６ａを略水平に倒して、上方に向けた状態で、ディスプレイ装置としてのパネルディスプレイ装置１６が収納されている。
【００４０】
この実施の形態１のパネルディスプレイ装置１６は、裏面側に複数のバックライト１６ｂ…が設けられている。
【００４１】
また、このクラスタ１５ａ内には、反射ミラー部材として、半透過性を有すると共に、光を一部反射させる２枚のハーフミラー部材１７，１８及びミラー部材１９が、車室内手前側から奥側に向けて、このパネルディスプレイ装置１６の表示面部１６ａ側である上方側に設けられていて、この表示面部１６ａの各領域Ｌ１，Ｌ２，Ｌ３に表示される車両情報を反射させて、車室１２内方向から、視認可能とするように構成されている。
【００４２】
これらのハーフミラー部材１７，１８，及びミラー部材１９は、正面視横長の長方形形状を呈し、前記表示面部１６ａに沿わせて平行となるように一定間隔が設定されていて、図３に示すように、各々一定の傾斜角度θ（θ＝４５度）が与えられて斜めとなるように、各々前記クラスタ１５ａの内壁に取り付けられている。
【００４３】
また、前記クラスタ１５ａの前面開口部１５ｂには、凹状に湾曲形成された透明部材からなるフロントカバー部材１５ｃが装着されていて、車室内からの映り込みが、防止されている。
【００４４】
また、前記表示面部１６ａには、図示省略の表示制御部が接続されていて、車両の各種車両情報を各ハーフミラー部材１７，１８，及びミラー部材１９に反射表示させる際、反射表示の位置、及び色彩や大きさ等の表示の種類を、前記表示面部１６ａの表示を制御することにより行うように構成されている。
【００４５】
すなわち、前記表示面部１６ａの領域Ｌ３に、前記表示制御部が、所定の表示を行うことにより、図５に示すように、車室１２内から見て最も奥側に設けられるミラー部材１９には、通常、燃料計表示２２，水温計表示２３が各々左，右側縁の周縁部近傍に反射表示され、また、下縁近傍には、オドトリップメータ表示２４が車室１２内側から見て正立像となるように反射表示される。
【００４６】
また、前記表示面部１６ａの領域Ｌ２に、前記表示制御部が、所定の表示を行うことにより、図６に示すように車室１２内から見て奥側中央に設けられるハーフミラー部材１８の車幅方向略中央部には、車両情報表示としてのスピードメータ表示２０及びタコメータ表示２１が、車室１２内側から見て正立像となるように反射表示される。
【００４７】
そして、前記表示面部１６ａの領域Ｌ１に、図７に示すように、車室１２内から見て手前側のハーフミラー部材１７の左，右側縁周縁部近傍には、前記スピードメータ表示２０及びタコメータ表示２１或いは、前記燃料計表示２２，水温計表示２３と重複しない位置に、他の車両情報表示としての方向指示表示２５，２５が反射表示されるように、前記表示制御部が、所定の表示を行う表示制御が行われる。
【００４８】
更に、この実施の形態１では、前記ハーフミラー部材１７の車幅方向略中央には、デジタルスピードメータ表示２６が、前記ハーフミラー部材１８のスピードメータ表示２０及びタコメータ表示２１と択一的に表示される様に構成されている。
【００４９】
そして、この実施の形態１では、図１中実線で示すように、前記燃料計表示２２は、燃料残量が、一定の残量以下に減少することにより、前記最も手前のハーフミラー部材１７の左側縁部周縁近傍に、他の車両情報表示として、前記スピードメータ表示２０及びタコメータ表示２１に重複しないように拡大表示される。
【００５０】
更に、この実施の形態１では、図１中実線で示されるように、前記水温計表示２３は、水温の一定温度以上への上昇により、前記最も手前のハーフミラー部材１７の右左側縁部周縁近傍に、他の車両情報表示として、前記スピードメータ表示２０及びタコメータ表示２１に重複しないように拡大表示されるように構成されている。
【００５１】
また、この実施の形態１には、前記他の車両情報表示として、ＥＴＣゲートに車両が接近したことを知らせるＥＴＣ接近告知表示が、各ハーフミラー部材１７，１８及びミラー部材１９に反射表示されるように、前記表示面部１６ａに表示されるように、構成されている。
【００５２】
すなわち、図９に示すように、ＥＴＣ接近告知表示として、ＥＴＣゲートの形状を模式的に表示する絵図２７ａ〜２７ｃが、前記スピードメータ２０と重ならないように、各ハーフミラー部材１７，１８，及びミラー部材１９の左側側縁部近傍に表示される。
【００５３】
この絵図２７ａ〜２７ｃは、ＥＴＣゲートが遠方に有る場合には、前記奥側に設けられるミラー部材１９に反射表示させると共に、ＥＴＣゲートが近接した場合には、順次、前記手前中央のハーフミラー部材１８及び前記最も手前側のハーフミラー部材１７に反射表示させるように構成されている。
【００５４】
また、この実施の形態１では、絵図２７ａ〜２７ｃの表示の大きさも変更するように構成されていて、ＥＴＣゲートが遠方に有る場合には、比較的小さく、前記絵図２７ａを前記ミラー部材１９に表示すると共に、ＥＴＣゲートが近接した場合には、遠方に有る場合の絵図２７ａの表示に比して、徐々に大きな絵図２７ｂ，２７ｃを、前記手前中央のハーフミラー部材１８及び前記最も手前側のハーフミラー部材１７に表示させるように構成されている。
【００５５】
更に、この実施の形態１では、これらの絵図２７ａ〜２７ｃの表示は、各ハーフミラー部材１７，１８，及びミラー部材１９に表示されている間に、ＥＴＣゲートへの車両の近接に伴って、徐々に大きくなるように構成されている。
【００５６】
また、この実施の形態１の車両用情報表示装置では、図２又は図４に示すように、前記運転席正面のクラスタ１５ａの車室側開口部１５ｂ周縁に、乗員Ｐのアイポイントを検出するアイポイント検出手段としてのＣＣＤカメラ２８が設けられている。
【００５７】
そして、このＣＣＤカメラ２８で撮像した運転席１３着座した乗員Ｐの顔の画像を基に、アイポイントの位置が認識されて、このアイポイントの移動に伴って、前記車両情報表示又は他の車両情報表示の表示位置が変更されるように構成されている。
【００５８】
この実施の形態１では、前記乗員Ｐのアイポイントが、右に移動すると、前記ハーフミラー部材１７の右側縁周縁部近傍に表示されていた水温計表示２３を、図８に示すように、最も手前に位置する前記ハーフミラー部材１７の左側縁周縁部近傍に表示させて、視認し易くするように構成されている。
【００５９】
次に、この実施の形態１の作用について説明する。
【００６０】
この実施の形態１では、前記パネルディスプレイ装置１６の表示面部１６ａの表示制御が、前記表示制御部で行われることによって、領域Ｌ２に、画像が表示されることにより、車室１２内から見て奥側に設けられたハーフミラー部材１８の略中央部にスピードメータ表示２０及びタコメータ表示２１が反射表示される。
【００６１】
これらのスピードメータ表示２０及びタコメータ表示２１は、前記手前のハーフミラー部材１７を透過して、車室１２内の運転席に着座した乗員から視認される。
【００６２】
このように、奥側に設けられたハーフミラー部材１８にスピードメータ表示２０及びタコメータ表示２１が表示されるため、乗員と、車両情報表示との間に一定の距離を設定し易く、車両情報表示を見る際の視線移動量を少なく設定出来、視認性が良好である。
【００６３】
また、前記表示面部１６ａの表示制御が、表示制御部で行われ、領域Ｌ１に、画像が表示されることにより、車室１２内から見て手前側のハーフミラー部材１７の左，右側縁の周縁部近傍で、前記スピードメータ表示２０及びタコメータ表示２１と重複しない位置に、方向指示表示２５，２５が反射表示される。
【００６４】
このように、方向指示表示２５，２５が反射表示されるので、乗員に最も近い位置に、比較的大きく、方向指示表示２５，２５を表示させることができる。
【００６５】
更に、これらの方向指示表示２５，２５が、車室１２内から見て手前側のハーフミラー部材１７の左，右側周縁部近傍に表示されるので、左，右の方向指示であることが、直感的に分かりやすい。
【００６６】
この際、図１に示すように、前記手前側に設けられたハーフミラー部材１７の左，右側周縁部は、運転席１３に着座した乗員Ｐから見ると、前記奥側に位置するハーフミラー部材１８の左，右側縁１８ａよりも外側に位置する。
【００６７】
このため、更に、前記手前側に表示される方向指示表示２５，２５が、奥側に設けられたハーフミラー部材１８のスピードメータ表示２０及びタコメータ表示２１や、前記ミラー部材１９に反射表示される前記燃料計表示２２及び水温計表示２３と重複することがない。
【００６８】
従って、複数枚のハーフミラー部材１７，１８及びミラー部材１９を用いても、良好な視認性が保たれる。
【００６９】
そして、この実施の形態１では、図１中実線で示すように、燃料残量が、一定の残量以下に減少すると、前記燃料計表示２２が、前記最も手前のハーフミラー部材１７の左側縁部周縁近傍に、他の車両情報表示として、前記スピードメータ表示２０及びタコメータ表示２１に重複しないように拡大表示される。
【００７０】
更に、この実施の形態１では、図１中実線で示されるように、水温の一定温度以上への上昇により、前記水温計表示２３が、前記最も手前のハーフミラー部材１７の右左側縁部周縁近傍に、他の車両情報表示として、前記スピードメータ表示２０及びタコメータ表示２１に重複しないように拡大表示されるように構成されている。
【００７１】
このように、前記燃料計表示２２及び水温計表示２３が、通常状態では、図１中二点鎖線で示すように、最も奥に位置するミラー部材１９の左，右側縁周縁部近傍に表示されているが、燃料残量の減少や、水温の上昇等、注意を促す必要がある場合には、警告表示として、乗員に最も近い位置に、比較的大きく表示されるので、注意を促すことが出来る。
【００７２】
また、前記ＥＴＣゲートに、前記車両が、遠方から近接すると、図９に示すように、まず、前記奥側に設けられたミラー部材１９に、ＥＴＣ接近告知表示である絵図２７ａが小さく、反射表示されて、次に、前記奥側のハーフミラー部材１８及び、手前側のハーフミラー部材１７に、絵図２７ｂ及び２７ｃが順次、次々と拡大反射表示される。
【００７３】
このため、クラスタ１５ａ内でも、ハーフミラー部材１７を透過して視認できるＥＴＣゲートを模式的に表示する絵図２７ａ，２７ｂが、手前に移動して接近するかのように見えて、ＥＴＣゲートが接近していることが認識し易い。
【００７４】
更に、前記ＥＴＣゲートに、前記車両が、遠方から近接すると、まず、ＥＴＣゲートの絵図２７ａが、比較的小さく表示され、次に、遠方に有る場合の表示に比して大きな絵図２７ｂ，２７ｃが、順次拡大されながら、ハーフミラー部材１８，１７に反射表示される。
【００７５】
このため、クラスタ１５ａ内では、ＥＴＣゲートを模式的に表示する絵図２７ａ〜２７ｃが、接近するかのように見えて、ＥＴＣゲートが接近していることが認識し易い。
【００７６】
また、前記各絵図２７ａ〜２７ｃの表示は、各ハーフミラー部材１７，１８，及びミラー部材１９に表示されている間に、ＥＴＣゲートへの車両の近接に伴って、各々徐々に大きくなり、最も大きい表示が、手前側に表示される絵図２７ｂ，２７ｃの大きさと略同じとなるように、乗員が視認できる大きさまで拡大されるように構成されている。
【００７７】
このため、前記ミラー部材１９に反射表示された絵図２７ａが、ハーフミラー部材１８に反射表示される絵図２７ｂに切り替わる際、円滑に表示が連続すると共に、前記ハーフミラー部材１８に反射表示される絵図２７ｂが、ハーフミラー部材１７に反射表示された絵図２７ｃに切り替わる際にも円滑に表示が連続するので、更に視認性が良好である。
【００７８】
そして、図４に示すように、前記ＣＣＤカメラ２８が、乗員Ｐのアイポイントを検出すると、このアイポイントの移動に伴って、車両情報表示又は他の車両情報表示の表示位置が、視認し易い位置に変更される。
【００７９】
この実施の形態１では、図４に示すように、乗員Ｐのアイポイントが右側に移動すると、図８に示すように、前記水温計表示２３の表示位置が、二点鎖線で示すミラー部材１９の右側縁部近傍位置から、実線で示す視認し易いハーフミラー部材１７の左側縁周縁部近傍位置に変更される。
【００８０】
この際、車室１２内から見て手前側のハーフミラー部材１７の左側縁周縁部近傍で、前記スピードメータ表示２０及び燃料計表示２２と重複しない位置に、この水温計表示２３が反射表示されるので、良好な視認性が保持される。
【００８１】
また、乗員Ｐのアイポイントが、左側に移動すると、前記燃料計表示２２を車室１２内から見て手前側のハーフミラー部材１７の右側縁周縁部近傍で、前記タコメータ表示２１及び水温計表示２３と重複しない位置に、反射表示させて、良好な視認性が保持される。
【００８２】
更に、この実施の形態１では、図１中、二点鎖線で示すように、前記ハーフミラー部材１７の車幅方向略中央には、デジタルスピードメータ表示２６が、前記ハーフミラー部材１８のスピードメータ表示２０及びタコメータ表示２１と択一的に表示されて、同時に表示されないようにしている。
【００８３】
上述してきたように、この実施の形態１に記載された車両用情報表示装置では、手前側に位置するハーフミラー部材１７の左，右側縁周縁部近傍で、前記奥側のハーフミラー部材１８やミラー部材１９の画像と重複しない部分、特に、ハーフミラー部材１８の左，右側縁１８ａ，１８ａよりも外側であれば、乗員Ｐのアイポイントが、多少左，右に移動しても、奥側の画像と重複しない箇所を用いて、手前側の表示を行うことにより、前記ハーフミラー部材１７，１８の枚数が増大しても、表示が重なることが殆どないので、良好な視認性が保持される。
【００８４】
以上、図面を参照して、本発明の実施の形態１の車両用情報表示装置を詳述してきたが、具体的な構成は、この実施の形態１に限らず、本発明の要旨を逸脱しない程度の設計的変更は、本発明に含まれる。
【００８５】
例えば、前記実施の形態１では、インストルメントパネル２の運転席１３の前方の上面に、前記情報表示装置１５のクラスタ１５ａが固定されているが、特にこれに限らず、図２中二点鎖線に示すように、前記運転席１３と助手席１４との間のインストルメントパネル２中央の上面側に、この情報表示装置１５を設けても良い。
【００８６】
この場合、前記クラスタ１５ａの車室内側開口部１５ｂが、運転席１３に着座した乗員Ｐに正対していなくても、良好な視認性が得られるので、前記ハーフミラー部材１７の右側縁周縁部近傍等の一部の表示部を用いて、助手席１４に着座した一部乗員に他の情報を提供することもできる。
【００８７】
また、この実施の形態１のものに前記クラスタ１５ａの形状、数量、材質が特に限定されるものではない。
【００８８】
更に、この実施の形態１の車両用情報表示装置では、パネルディスプレイ装置１６として、複数のバックライト１６ｂ…が設けられた液晶ディスプレイ装置が用いられているが、特にこれに限らず、車両情報を表示するものであるならば、例えば、ＣＲＴ，有機ＥＬ，無機ＥＬ，ＶＦＤ（蛍光表示管）等の他の電気光学素子や、半導体素子で構成される他の表示装置であってもよく、特に、有機ＥＬ等の自発光型のパネルディスプレイを用いる場合には、実施の形態１のバックライト１６ｂ…が、不要となるので、更に、薄型、小型化が可能で、スペース効率を良好なものとすることができる。
【００８９】
また、この実施の形態１では、３枚のハーフミラー部材１７，１８，１９によって、平行に設置される反射ミラー部材を構成しているが、特にこれに限らず、２枚、或いは４枚以上の複数のハーフミラー部材で構成されていてもよく、略同一外形を呈するものであるならば、形状、数量、及び材質が限定されるものではない。
【００９０】
更に、この実施の形態１では、前記パネルディスプレイ装置１６の表示面部１６ａが、上方向に向けて固定されているが、特にこれに限らず、例えば、前記クラスタ１５ａ内でこの表示面部１６ａを下方向に向けて固定して、下側に、前記ハーフミラー部材１７，１８等を設けても良い。
【００９１】
【発明の効果】
上述してきたように、請求項１記載のものでは、前記表示面部の表示制御によって、車室内から見て奥側に設けられる反射ミラー部材の略中央部に車両情報表示が反射表示される。
【００９２】
このため、乗員が、車両情報表示を見る際の視線移動量を少なく設定出来、視認性が良好である。
【００９３】
また、車室内から見て手前側の反射ミラー部材の周縁部近傍で、前記車両情報表示と重複しない位置に、他の車両情報表示が反射表示されるので、乗員に最も近い位置に、比較的大きく他の車両情報表示を表示させることができる。
【００９４】
この際、前記手前側に表示される他の車両情報表示が、奥側に設けられた反射ミラー部材の車両情報表示と重複することがないので、複数枚の反射ミラー部材を用いても、良好な視認性が保たれる。
【００９５】
そして、請求項２に記載されたものでは、警告表示が、乗員に最も近い位置に、比較的大きく表示されるので、注意を促すことが出来る。
【００９６】
更に、請求項３に記載されたものでは、方向指示表示が、例えば、車室内から見て手前側の反射ミラー部材の左，右側周縁部近傍に表示するように構成すれば、左，右の方向指示であることが、直感的に分かりやすい。
【００９７】
また、請求項４に記載されたものでは、前記ＥＴＣゲートに、前記車両が、遠方から近接すると、まず、前記奥側に設けられる反射ミラー部材に、ＥＴＣ接近告知表示が反射表示されて、次に、前記手前側の反射ミラー部材に反射表示される。
【００９８】
このため、装置内でＥＴＣゲートを模式的に表示する絵図が、接近するかのように見えることにより、実際にＥＴＣゲートが接近していることが認識し易い。
【００９９】
更に、請求項５に記載されたものでは、前記ＥＴＣゲートに、前記車両が、遠方から近接すると、まず、ＥＴＣゲートの絵図が、比較的小さく表示され、次に、該遠方に有る場合の表示に比して大きく表示される。
【０１００】
このため、装置内でもＥＴＣゲートを模式的に表示する絵図が、接近するかのように見えて、ＥＴＣゲートが接近していることが認識し易い。
【０１０１】
そして、請求項６に記載されたものでは、前記アイポイント検出手段が、乗員のアイポイントを検出すると、該アイポイントの移動に伴って、前記車両情報表示又は他の車両情報表示の表示位置が、視認し易い位置に変更される。
【０１０２】
この際、車室内から見て手前側の反射ミラー部材の周縁部近傍で、前記車両情報表示と重複しない位置に、他の車両情報表示が反射表示されるので、前記反射ミラー部材の枚数が増大しても、良好な視認性が保持される、という実用上有益な効果を発揮する。
【図面の簡単な説明】
【図１】本発明の実施の形態１の車両用情報表示装置を示し、運転席に着座した乗員が視認する各表示を模式的に示す正面図である。
【図２】実施の形態１の車両用情報表示装置を示し、車室内の構成を説明する模式的な斜視図である。
【図３】実施の形態１の車両用情報表示装置で、図２中Ａ−Ａ線に沿った位置での断面図である。
【図４】実施の形態１の車両用情報表示装置で、乗員のアイポイントが移動する様子を説明する模式的な平面図である。
【図５】実施の形態１の車両用情報表示装置で、通常時に、ミラー部材に反射表示される表示の一例を示す正面図である。
【図６】実施の形態１の車両用情報表示装置で、奥側のハーフミラー部材に反射表示される表示の一例を示す正面図である。
【図７】実施の形態１の車両用情報表示装置で、手前側のハーフミラー部材に反射表示される表示の一例を示す正面図である。
【図８】実施の形態１の車両用情報表示装置で、アイポイントが右側に移動した際の表示の一例を示す正面図である。
【図９】実施の形態１の車両用情報表示装置で、ＥＴＣ接近告知表示である絵図が、奥側のミラー部材から手前側のハーフミラー部材に至るまで順次、反射表示される表示の一例を示す模式図である。
【図１０】従来の車両用情報表示装置で、センターディスプレイを設けたインストルメントパネルの正面図である。
【図１１】他の従来の車両用情報表示装置で、複数の反射ミラー部材を用いて、車両情報を重ねて表示する構成を示し、図２中Ａ−Ａ線に沿った位置に相当する部分での断面図である。
【符号の説明】
１２        車室
１５        情報表示装置
１５ａ      クラスタ（収納部）
１６        パネルディスプレイ装置
１６ａ      表示面部
１７，１８  ハーフミラー部材
１９        ミラー部材
車両情報表示
２０        スピードメータ表示
２１        タコメータ表示
他の車両情報表示
２２        燃料計表示（警告表示の一つ）
２３        水温計表示（警告表示の一つ）
２５，２５  方向指示表示
ＥＴＣ接近告知表示
２７ａ，２７ｂ，２７ｃ        絵図
【図１】
2004291731.tif 000003
【図２】
2004291731.tif 000004
【図３】
2004291731.tif 000005
【図４】
2004291731.tif 000006
【図５】
2004291731.tif 000007
【図６】
2004291731.tif 000008
【図７】
2004291731.tif 000009
【図８】
2004291731.tif 000010
【図９】
2004291731.tif 000011
【図１０】
2004291731.tif 000012
【図１１】
2004291731.tif 000013